(57)【特許請求の範囲】
【請求項１】
コンタクトと、
前記コンタクトを保持するハウジングと、
前記ハウジングを覆いつつ、相手側コネクタが挿入される相手側コネクタ挿入空間を有する筒状の内側シェルと、
前記内側シェルの周壁の一部を覆う天板と、前記内側シェルを包み込むように前記天板から離れる方向へ延びて形成される保持脚と、を含んで構成される外側シェルと、
を備え、
前記保持脚をコネクタ搭載基板の保持孔に挿入することで、前記コネクタ搭載基板に搭載されて用いられる電気コネクタであって、
前記内側シェルと前記外側シェルは、一体的に形成されており、
前記外側シェルの前記天板は、前記内側シェルの前記周壁に対して略１８０度折り返されて形成されており、
前記外側シェルの前記天板は、前記相手側コネクタの抜き差しが行われる前記内側シェルの前記周壁の開口端において、前記内側シェルの前記周壁に接続しており、
前記内側シェルは、金属板を折り曲げて形成した筒体であり、
前記内側シェルの後端には、折り曲げられることで、前記ハウジングの抜け止めとなる抜け止め部が形成されている、
電気コネクタ。
【請求項２】
請求項１に記載の電気コネクタであって、
前記外側シェルは、前記内側シェルの前記抜け止め部に対して外側から重複する重複部を有している、
電気コネクタ。
【請求項３】
請求項１又は２に記載の電気コネクタであって、
前記外側シェルは、前記保持脚を複数有し、
前記複数の保持脚は、前記相手側コネクタを前記相手側コネクタ挿入空間に挿入する方向であるコネクタ挿入方向において互いに離れて形成されている、
電気コネクタ。
【請求項４】
請求項３に記載の電気コネクタであって、
前記内側シェルは、前記コネクタ搭載基板にハンダ付けされる第２保持脚を有し、
前記外側シェルの前記複数の保持脚のうち何れかは、前記内側シェルの前記第２保持脚と重複している、
電気コネクタ。
【発明の詳細な説明】
【技術分野】
【０００１】
本発明は、電気コネクタに関する。
【背景技術】
【０００２】
この種の技術として、特許文献１は、異なる厚みのプリント配線板に電気コネクタを問題なく取り付けるための技術を開示している。即ち、特許文献１の電気コネクタは、端子ホルダ３００を収容する第１外殻３０１と、電気コネクタ自身をプリント配線板にハンダ付けするためのピン足３０２を有した第２外殻３０３と、を備えている。第１外殻３０１と第２外殻３０３は、別体に構成されている。使用時は、第２外殻３０３の突起３０４と、第１外殻３０１の凹部３０５と、を用いて第２外殻３０３を第１外殻３０１に対して嵌め合わせている。このように、第１外殻３０１と第２外殻３０３を別体に構成しておくことで、プリント配線板の厚みに応じてピン足３０２の長さをその都度選択できるようになっている。必要であれば、別体構成について言及している特許文献１の請求項１を参照されたい。
【先行技術文献】
【特許文献】
【０００３】
【特許文献１】実用新案登録第３１１７１５５号公報
【発明の概要】
【発明が解決しようとする課題】
【０００４】
ところで、昨今の電子機器のモバイラビリティの発展に伴い、コネクタの抜き差し回数が飛躍的に増加している。
【０００５】
従って、上述した特許文献１の電気コネクタでは、相手のコネクタを抜き差ししていくうちに突起３０４と凹部３０５の間に緩みが生じ、この結果、第１外殻３０１が第２外殻３０３に対して抜き差し方向においてがたついてしまう場合があった。
【０００６】
本願発明の目的は、相手のコネクタを繰り返し抜き差ししてもがたつき難くする技術を提供することにある。
【課題を解決するための手段】
【０００７】
本願発明の第１の観点によれば、コンタクトと、前記コンタクトを保持するハウジングと、前記ハウジングを覆いつつ、相手側コネクタが挿入される相手側コネクタ挿入空間を有する筒状の内側シェルと、前記内側シェルの周壁の一部を覆う天板と、前記内側シェルを包み込むように前記天板から離れる方向へ延びて形成される保持脚と、を含んで構成される外側シェルと、を備え、前記保持脚をコネクタ搭載基板の保持孔に挿入することで、前記コネクタ搭載基板に搭載されて用いられる電気コネクタであって、前記内側シェルと前記外側シェルは、一体的に形成されており、前記外側シェルの前記天板は、前記内側シェルの前記周壁に対して略１８０度折り返されて形成されており、前記外側シェルの前記天板は、前記相手側コネクタの抜き差しが行われる前記内側シェルの前記周壁の開口端において、前記内側シェルの前記周壁に接続しており、前記内側シェルは、金属板を折り曲げて形成した筒体であり、前記内側シェルの継ぎ目は、前記コネクタ搭載基板に対して対向するように位置している、電気コネクタが提供される。
本願発明の第２の観点によれば、コンタクトと、前記コンタクトを保持するハウジングと、前記ハウジングを覆いつつ、相手側コネクタが挿入される相手側コネクタ挿入空間を有する筒状の内側シェルと、前記内側シェルの周壁の一部を覆う天板と、前記内側シェルを包み込むように前記天板から離れる方向へ延びて形成される保持脚と、を含んで構成される外側シェルと、を備え、前記保持脚をコネクタ搭載基板の保持孔に挿入することで、前記コネクタ搭載基板に搭載されて用いられる電気コネクタであって、前記内側シェルと前記外側シェルは、一体的に形成されており、前記外側シェルの前記天板は、前記内側シェルの前記周壁に対して略１８０度折り返されて形成されており、前記外側シェルの前記天板は、前記相手側コネクタの抜き差しが行われる前記内側シェルの前記周壁の開口端において、前記内側シェルの前記周壁に接続しており、前記内側シェルは、金属板を折り曲げて形成した筒体であり、前記内側シェルの後端には、折り曲げられることで、前記ハウジングの抜け止めとなる抜け止め部が形成されている、電気コネクタが提供される。
前記外側シェルは、前記内側シェルの前記抜け止め部に対して外側から重複する重複部を有している。
前記外側シェルは、前記保持脚を複数有し、前記複数の保持脚は、前記相手側コネクタを前記相手側コネクタ挿入空間に挿入する方向であるコネクタ挿入方向において互いに離れて形成されている。
前記内側シェルは、前記コネクタ搭載基板にハンダ付けされる第２保持脚を有し、前記外側シェルの前記複数の保持脚のうち何れかは、前記内側シェルの前記第２保持脚と重複している。
【発明の効果】
【０００８】
本願発明によれば、前記相手側コネクタを前記電気コネクタに繰り返し抜き差ししても、前記内側シェルが前記外側シェルに対してがたつくことがない。
【図面の簡単な説明】
【０００９】
【図１】図１は、電気コネクタの使用状態を示す斜視図である。（第１実施形態）
【図２】図２は、電気コネクタの使用前の斜視図である。（第１実施形態）
【図３】図３は、電気コネクタの分解斜視図である。（第１実施形態）
【図４】図４は、電気コネクタの他の角度から見た分解斜視図である。（第１実施形態）
【図５】図５は、外側シェルを展開した状態を示す斜視図である。（第１実施形態）
【図６】図６は、図２のVI-VI線断面図である。（第１実施形態）
【図７】図７は、外側シェルを展開した状態を示す斜視図である。（第２実施形態）
【図８】図８は、図２のVI-VI線断面図である。（第３実施形態）
【図９】図９は、特許文献１の図５に相当する図である。
【発明を実施するための形態】
【００１０】
（第１実施形態）
以下、図１〜６を参照しつつ、本願発明の第１実施形態を説明する。本願明細書において電気コネクタ１は、HDMI（High-Definition Multimedia Interface）用レセプタクルコネクタである。
【００１１】
図１〜６に示すように、電気コネクタ１は、複数のコンタクト２と、複数のコンタクト２を保持するハウジング３と、シェル４と、を備えて構成されている。シェル４は、内側シェル５と外側シェル６を有する。内側シェル５は、ハウジング３を覆いつつ、相手側コネクタ７が挿入される相手側コネクタ挿入空間８を有するように、筒状に形成されている。外側シェル６は、内側シェル５の周壁５ａの一部を覆う天板６ａと、内側シェル５を包み込むように天板６ａから離れる方向へ延びて形成される４つの第１保持脚６ｂ（保持脚）と、を含んで構成されている。そして、電気コネクタ１は、４つの第１保持脚６ｂをコネクタ搭載基板９の複数の保持孔１０に夫々挿入することで、コネクタ搭載基板９に搭載されて用いられる。本実施形態において内側シェル５と外側シェル６は、一体的に形成されている。以下、この電気コネクタ１の各構成要素を詳細に説明する。
【００１２】
（コネクタ挿入方向D）
図１に示すように、相手側コネクタ７が相手側コネクタ挿入空間８に挿入される方向をコネクタ挿入方向Dと定義する。
【００１３】
（コネクタ搭載基板９）
図１に示すように、コネクタ搭載基板９には、４つの保持孔１０が形成されている。４つの保持孔１０のうち２つの保持孔１０は、挿入前の相手側コネクタ７から電気コネクタ１を見て、電気コネクタ１の右側に配置されると共に、コネクタ挿入方向Dに沿って並んでいる。同様に、４つの保持孔１０のうち残りの２つの保持孔（不図示）は、挿入前の相手側コネクタ７から電気コネクタ１を見て、電気コネクタ１の左側に配置されると共に、コネクタ挿入方向Dに沿って並んでいる。
【００１４】
（シェル４：内側シェル５）
図１に示すように、内側シェル５は、金属板を折り曲げて、一方の端に形成された凸部１１を他方に形成された凹部１２に嵌め込むことで形成した若干扁平状の筒体である。内側シェル５の継ぎ目１３は、コネクタ搭載基板９に対して対向するように位置している。継ぎ目１３は、コネクタ挿入方向Dに対して略平行に延びている。
【００１５】
内側シェル５の周壁５ａは、図５に示すように、天板５ｂと一対の側板５ｃ、底板５ｄによって構成されている。
【００１６】
天板５ｂには、相手側コネクタ７を弾性力で保持するために、片持ち梁状に形成された保持板１４が２つ、形成されている。側板５ｃ及び底板５ｄには、半田付けの際にフラックス等が内側シェル５内に侵入しないよう、いかなる孔も形成されていない。
【００１７】
そして、図１に示すように、相手側コネクタ７の抜き差しが行われる内側シェル５の周壁５ａの開口端１５には、相手側コネクタ７を相手側コネクタ挿入空間８内へスムーズに挿入するためのガイドｇが複数形成されている。また、コネクタ挿入方向Dにおける、内側シェル５の周壁５ａの開口端１５と反対側の後端１６には、図４及び図５に示すように、一対の第２保持脚１７が形成されている。
【００１８】
また、図６に示すように、内側シェル５の天板５ｂの後端１６には、折り曲げられることで、シェル４からのハウジング３の抜け止めとなる抜け止め部５ｅが形成されている。
【００１９】
（シェル４：外側シェル６）
図５及び図６に示す通り、外側シェル６は、内側シェル５の周壁５ａの天板５ｂを覆う天板６ａと、内側シェル５の周壁５ａの一対の側板５ｃを覆う一対の側板６ｃと、４つの第１保持脚６ｂと、によって構成されている。外側シェル６の天板６ａは、内側シェル５の周壁５ａの天板５ｂの開口端１５に接続している。そして、図６に示すように、外側シェル６の天板６ａは、内側シェル５の周壁５ａの天板５ｂに対して略１８０度折り返されて形成されている。この折り返しに伴って、内側シェル５の周壁５ａの天板５ｂの開口端１５には、断面略半円状の折り返し部Rが形成されている。また、外側シェル６の天板６ａには、保持板１４の弾性変形を許容するための逃げ孔６ｄが形成されている。図１に示すように、各側板６ｃは、天板６ａに対して接続すると共に、天板６ａに対して直交する関係にある。１つの側板６ｃに、２つの第１保持脚６ｂが接続している。１つの側板６ｃに接続された２つの第１保持脚６ｂは、コネクタ挿入方向Dにおいて若干離れて形成されている。各第１保持脚６ｂは、図１に示すように、コネクタ搭載基板９のコネクタ搭載面９ａに対して直交する方向に延びてコネクタ搭載基板９の各保持孔１０に挿入されている。
【００２０】
図１に示す状態で、外側シェル６は、内側シェル５に覆い被さっている。内側シェル５は、外側シェル６とコネクタ搭載基板９によって挟まれ、外側シェル６とコネクタ搭載基板９によって包囲されている。
【００２１】
（使用方法）
次に、電気コネクタ１の使用方法を説明する。先ず、図２に示す外側シェル６の各第１保持脚６ｂを、図１に示すように、コネクタ搭載基板９の各保持孔１０に夫々挿入する。次に、電気コネクタ１のシェル４の外側シェル６の各第１保持脚６ｂを、コネクタ搭載基板９の各保持孔１０に対して夫々半田付けする。また、図４に示す電気コネクタ１の内側シェル５の底板５ｄを、図１に示すコネクタ搭載基板９のコネクタ搭載面９ａに形成された図示しない第１半田付けパッドに半田付けする。また、図４に示す電気コネクタ１の内側シェル５の第２保持脚１７を、図１に示すコネクタ搭載基板９のコネクタ搭載面９ａに搭載された図示しない第２半田付けパッドに半田付けする。こうして、電気コネクタ１はコネクタ搭載基板９に対してしっかりと固定される。
【００２２】
以上に、本願発明の好適な第１実施形態を説明したが、上記第１実施形態は、要するに、以下の特長を有している。
【００２３】
（１）電気コネクタ１は、複数のコンタクト２と、複数のコンタクト２を保持するハウジング３と、ハウジング３を覆いつつ、相手側コネクタ７が挿入される相手側コネクタ挿入空間８を有する筒状の内側シェル５と、内側シェル５の周壁５ａの天板５ｂ（一部）を覆う天板６ａと、内側シェル５を包み込むように天板６ａから離れる方向へ延びて形成される複数の第１保持脚６ｂと、を含んで構成される外側シェル６と、を備える。電気コネクタ１は、複数の第１保持脚６ｂをコネクタ搭載基板９の複数の保持孔１０に挿入することで、コネクタ搭載基板９に搭載されて用いられる。内側シェル５と外側シェル６は、一体的に形成されている。以上の構成によれば、相手側コネクタ７を電気コネクタ１に繰り返し抜き差ししても、内側シェル５が外側シェル６に対してがたつくことがない。
【００２４】
ここで、特許文献１について言及する。特許文献１の技術の根幹は、異なる厚みのプリント配線板に問題なく電気コネクタを取り付けるために、ピン足を有する第２外殻を第１外殻とは別体に構成した、という部分である。従って、特許文献１の技術において仮に第１外殻と第２外殻を一体化させるとすると、特許文献１の技術が根底から崩れてしまう点に留意されたい。
【００２５】
（２）また、外側シェル６の天板６ａは、内側シェル５の周壁５ａに対して略１８０度折り返されて形成されている。以上の構成によれば、外側シェル６の天板６ａを、折り曲げ加工により安価に形成することができる。
【００２６】
（３）また、外側シェル６の天板６ａは、相手側コネクタ７の抜き差しが行われる内側シェル５の周壁５ａの開口端１５において、内側シェル５の周壁５ａに接続している。以上の構成によれば、相手側コネクタ７の抜き差しが行われる内側シェル５の周壁５ａの開口端１５には、断面略半円状の折り返し部Rが形成されることになる。この折り返し部Rは、相手側コネクタ７を内側シェル５の相手側コネクタ挿入空間８に挿入する際のガイドとしての機能を発揮する。
【００２７】
なお、本実施形態において保持板１４は、図６に示すように、外側シェル６ではなく内側シェル５に形成している。従って、図２に示すように、外側シェル６の天板６ａには、切れ目のない広大な吸着領域を確保することができる。この吸着領域は、電気コネクタ１を吸引力によりピックアップする際に使用される領域である。
【００２８】
（第２実施形態）
次に、図７を参照しつつ、本願発明の第２実施形態を説明する。ここでは、本実施形態が上記第１実施形態と異なる点を中心に説明し、重複する説明は適宜省略する。また、上記第１実施形態の各構成要素に対応する構成要素には原則として同一の符号を付すこととする。
【００２９】
上記第１実施形態において、外側シェル６の天板６ａは、図５に示すように、内側シェル５の周壁５ａの天板５ｂの開口端１５において、内側シェル５の周壁５ａに接続している。しかし、これに代えて、本実施形態において、外側シェル６の天板６ａは、図７に示すように、内側シェル５の周壁５ａの天板５ｂの後端１６において、内側シェル５の周壁５ａに接続している。
【００３０】
（第３実施形態）
次に、図８を参照しつつ、本願発明の第３実施形態を説明する。ここでは、本実施形態が上記第１実施形態と異なる点を中心に説明し、重複する説明は適宜省略する。また、上記第１実施形態の各構成要素に対応する構成要素には原則として同一の符号を付すこととする。
【００３１】
本実施形態において外側シェル６は、図８に示すように、重複部６ｅを有している。重複部６ｅは、天板６ａに接続すると共に、抜け止め部５ｅに対して外側から部分的に重複している。以上の重複部６ｅによれば、抜け止め部５ｅによる抜け止め効果が強化されることになる。
【符号の説明】
【００３２】
１  電気コネクタ
２  複数のコンタクト
３  ハウジング
４  シェル
５  内側シェル
５ａ  周壁
５ｂ  天板
５ｃ  側板
５ｄ  底板
５ｅ  抜け止め部
６  外側シェル
６ａ  天板
６ｂ  第１保持脚
６ｃ  側板
６ｄ  逃げ孔
６ｅ  重複部
７  相手側コネクタ
８  相手側コネクタ挿入空間
９  コネクタ搭載基板
９ａ  コネクタ搭載面
１０  保持孔
１１  凸部
１２  凹部
１３  継ぎ目
１４  保持板
１５  開口端
１６  後端
１７  第２保持脚
D  コネクタ挿入方向
R  折り返し部
ｇ  ガイド
【図１】
0005813339.tif 000002
【図２】
0005813339.tif 000003
【図３】
0005813339.tif 000004
【図４】
0005813339.tif 000005
【図５】
0005813339.tif 000006
【図６】
0005813339.tif 000007
【図７】
0005813339.tif 000008
【図８】
0005813339.tif 000009
【図９】
0005813339.tif 000010